(57)【要約】【課題】トイレットペーパーを片手で引き出して重ね合わせ状態にして切断使用し得る巻取り具の提供。【解決手段】トイレットペーパーホルダー２０に装填されているトイレットペーパー１０のペーパーロール１０’から引き出される引き出しペーパー部分１０”を反転状態に掛け回す片持ち状態に設けられた掛け回し軸部Ａａと、この掛け回し軸部Ａａよりも前記トイレットペーパーホルダー２０のペーパーロール１０’に近い位置に設けられて前記ペーパーロール１０’から引き出された引き出しペーパー部分１０”を押しつけ状態にて切断可能とする切断補助部Ａｂとを備えたトイレットペーパーの巻取り具。【選択図】        図４
2004329309.tif 000002
【特許請求の範囲】
【請求項１】
トイレットペーパーホルダーに装填されているトイレットペーパーのペーパーロールから引き出される引き出しペーパー部分を掛け回す片持ち状態に設けられた掛け回し軸部と、
この掛け回し軸部よりも前記トイレットペーパーホルダーのペーパーロールに近い位置に設けられて前記ペーパーロールから引き出された引き出しペーパー部分を押しつけ状態にて切断可能とする切断補助部とを備えていることを特徴とするトイレットペーパーの巻取り具。
【請求項２】
前記切断補助部と前記掛け回し軸部との間の間隔を調節可能としてあることを特徴とする請求項１に記載のトイレットペーパーの巻取り具。
【請求項３】
前記ペーパーロールから引き出される引き出しペーパー部分の押しつけられる切断補助部の面が摩擦抵抗の大きい面としてあることを特徴とする請求項１又は請求項２に記載のトイレットペーパーの巻取り具。
【発明の詳細な説明】
【０００１】
【発明の属する技術分野】
この発明は、用便などに際して用いられるトイレットペーパーを片手操作によって拭き去りに都合の良い長さに重ね合わせ状態に巻取り切断し、または、片手操作によって拭き去りに都合の良い枚数に重ね合わせ状態に巻取り切断して用い得るようにしたトイレットペーパーの巻取り具の提供に関する。
【０００２】
【従来の技術】
いわゆるロール状のトイレットペーパーをトイレットペーパーホルダーから引き出して切断用いる場合には、通例、このトイレットペーパーホルダー内にあるトイレットペーパーのペーパーロールの回転を、例えば、一方の手によって、先端縁に切断刃を備えた回動自在なホルダーカバーなどを当該ペーパーロールに押し付け停止させると共に、他方の手によって当該ペーパーロールから引き出されているペーパー端部を引っ張ることによって当該カバーの切断刃部分において、これを切断して用いるようにしていた。
【０００３】
しかしながら、このようなトイレットペーパーの引き出し、切断による使用に当たっては、逐一、一方の手によってペーパーロールの回転を止めると共に、他方の手によって引き出しペーパー部分を引きちぎる操作を要し、両手操作に身体的な難を有する人や、用便時における状況などから両手操作ができない場合などにおいて不具合があった。
【０００４】
かかる点から、片手操作のみによって、トイレットペーパーホルダーに保持されているトイレットペーパーのペーパーロールから必要長さのペーパーを引き出し、且つ、当該片手操作によって、これを切断して用い得るようにしたトイレットペーパーホルダーとして特許文献１に示されるものがある。
【０００５】
【特許文献１】
特開平１１−４２１７９号公報
【０００６】
また、同様に、片手操作によってトイレットペーパーホルダーに保持されているペーパーロールから引き出したペーパーを必要長さに片手操作によって切断して用い得るようにしたトイレットペーパーホルダーとして特許文献２に示されるものがある。
【０００７】
【特許文献２】
特開２０００−２８７８７４号公報
【０００８】
【発明が解決しようとする課題】
しかしながら、かかるトイレットペーパーのトイレットペーパーホルダーにあっては、当該トイレットペーパーホルダーのペーパーロールからトイレットペーパーを引き出して、片手操作によって所要長さに切断して用い得る構成としてあるものの、片手操作によってペーパーロールから引き出されるトイレットペーパーを重ね合わせの状態に引き出し切断して用いることができなかった。
【０００９】
この発明は、トイレットペーパーホルダーに保持されているペーパーロールから必要長さのペーパー部分を片手操作によって引き出し得ると共に、この引き出しペーパー部分を片手操作によって重ね合わせの状態にしてペーパーロールから片手操作によって巻取り切断して用い得るようにしたトイレットペーパーの巻取り具の提供を目的としている。
【００１０】
【課題を解決するための手段】
前記目的を達成するために請求項１に記載の発明は、トイレットペーパーホルダーに装填されているトイレットペーパーのペーパーロールから引き出される引き出しペーパー部分を掛け回す片持ち状態に設けられた掛け回し軸部と、
この掛け回し軸部よりも前記トイレットペーパーホルダーのペーパーロールに近い位置に設けられて前記ペーパーロールから引き出された引き出しペーパー部分を押しつけ状態にて切断可能とする切断補助部とを備えていることを特徴とするトイレットペーパーの巻取り具としてある。
【００１１】
このように構成される巻取り具にあっては、例えば、前記掛け回し軸部に前記トイレットペーパーホルダーのペーパーロールから引き出される引き出しペーパー部分を反転状態に掛け回わすと共にこの反転ペーパー部分と当該反転ペーパー部分に向き合うように前記ペーパーロールから引き出されて該反転ペーパー部分に向き合わされる向き合いペーパー部分との重ね合わせ部分を移動し、又は、前記掛け回し軸部に掛け回された反転ペーパー部分を当該反転ペーパー部分に向き合うように前記ペーパーロールから引き出されて該反転ペーパー部分に向き合わされる向き合いペーパー部分と共に前記掛け回し軸部を巡るように一巡り以上巡らすと共に該掛け巡らしペーパー部分と該掛け巡らしペーパー部分に向き合うように前記ペーパーロールから引き出される向き合いペーパー部分との重ね合わせ部分を移動することによって、
この重ね合わせ部分と前記トイレットペーパーホルダーのペーパーロールとの間にあるペーパー部分を前記切断補助部に押しつけ切断することによって用便時などにおける拭き去りに都合の良い重ね合わせ状態の切断ペーパーを片手操作によって得ることができる。
【００１２】
また、前記目的を達成するために請求項２に記載の発明は、請求項１に記載のトイレットペーパーの巻取り具において、前記切断補助部と前記掛け回し軸部との間の間隔が調節可能としてあることを特徴とするトイレットペーパーの巻取り具としてある。
【００１３】
このように構成されるトイレットペーパーの巻取り具にあっては、前記特長に併せて、片手操作によって、ペーパーロールから引き出される引き出しペーパー部分を用便時などにおいて拭き去りに都合の良い長さに重ね合わせ状態にして巻取り切断して用いることができる。
【００１４】
また、前記目的を達成するために請求項３に記載の発明は、前記請求項１又は請求項２に記載のトイレットペーパーの巻取り具において、前記ペーパーロールから引き出されている引き出しペーパー部分の押しつけられる切断補助部の面が摩擦抵抗の大きい面としてあることを特徴とするトイレットペーパーの巻取り具としてある。
【００１５】
このように構成されるトイレットペーパーの巻取り具にあっては、前記特長に併せて、片手操作によってトイレットペーパーのペーパーロールからの引き出しペーパー部分を用便などにおいて必要な重ね合わせの状態に巻取り切断して使用する際や、当該トイレットの清掃などに際して、この切断補助部に接触しても被傷などの不具合を生じ難い特長を有している。
【００１６】
【発明の実施の形態】
以下、本発明に係る典型的な各実施の形態に係るトイレットペーパーの巻取り具Ａについて詳細に説明する。
図１〜図７は、この発明の典型的な第１の実施の形態にかかるトイレットペーパーの巻取り具Ａを示しており、図１は、当該実施の形態に係る巻取り具Ａを、その取付け対象である壁６０部分を断面した状態で側面から示しており、図２は、これを正面から見て示している。
また、図３は、この巻取り具Ａを斜め上方から見て示している。
図４及び図５は、当該実施の形態に係るトイレットペーパーの巻取り具Ａの一使用状態を示しており、図４では、これを斜め上方から見て示しており、図５では、これを壁６０部分を破断して側方から見て示している。
図６及び図７は、当該実施の形態にかかるトイレットペーパーの巻取り具Ａの他の使用状態を示しており、図６では、この実施の形態に係るトイレットペーパーの巻取り具Ａの使用操作の一過程を、図７では、当該使用操作の次の一過程をそれぞれ壁６０部分を破断して側方から見て示している。
図８は、当該発明に係る典型的な第２の実施の形態に係るトイレットペーパーの巻取り具Ａを、その部品を分離した状態で斜め上方から見て示している。
図９〜図１１は、当該発明に係る典型的な第３の実施の形態に係るトイレットペーパーの巻取り具Ａを示したものであって、図９では、その一使用状態を斜め上方から見て、また、図１０では、これを壁６０部分を破断して側方から見て示しており、図１１では、当該巻取り具Ａに用いられる切断補助部Ａｂの要部を上方から見て示している。
図１２〜図１４は、この第３の実施の形態に係る巻取り具Ａにおける他の各種の具体的な切断補助部Ａｂの要部を上方から見て示している。
【００１７】
この発明の典型的な実施の形態に係るトイレットペーパーの巻取り具Ａは、任意の形態からなるトイレットペーパーホルダー２０に装填されているロール状をなすトイレットペーパー１０、すなわち、筒状芯１０’ａにペーパーを巻つけてなるロール状をなすトイレットペーパー１０のペーパーロール１０’から引き出される引き出しペーパー部分１０”を反転状態に掛け回す片持ち状態に設けられた掛け回し軸部Ａａと、
この掛け回し軸部Ａａよりも前記トイレットペーパーホルダー２０のペーパーロール１０’に近い位置に設けられて前記ペーパーロール１０’から引き出された引き出しペーパー部分１０”を押しつけ状態にて切断可能とする切断補助部Ａｂとを備えた構成としてある。
【００１８】
このように構成される巻取り具Ａにあっては、例えば、前記掛け回し軸部Ａａに前記トイレットペーパーホルダー２０のペーパーロール１０’から引き出される引き出しペーパー部分１０”を反転状態に掛け回わすと共に、この反転ペーパー部分１０”ｂと当該反転ペーパー部分１０”ｂに向き合うように前記ペーパーロール１０’から引き出されて該反転ペーパー部分１０”ｂに向き合わされる向き合いペーパー部分１０”ｃとの重ね合わせ部分１０”ｄを移動し、
又は、前記掛け回し軸部Ａａに掛け回された反転ペーパー部分１０”ｂを当該反転ペーパー部分１０”ｂに向き合うように前記ペーパーロール１０’から引き出されて該反転ペーパー部分１０”ｂに向き合わされる向き合いペーパー部分１０”ｃと共に前記掛け回し軸部Ａａを巡るように一巡り以上巡らすと共に該掛け巡らしペーパー部分１０”ｆと該掛け巡らしペーパー部分１０”ｆに向き合うように前記ペーパーロール１０’から引き出されて該掛け巡らしペーパー部分１０”ｆに向き合わされる向き合いペーパー部分１０”ｃとの重ね合わせ部分１０”ｄを移動することによって、
この重ね合わせ部分１０”ｄと前記トイレットペーパーホルダー２０のペーパーロール１０’との間にあるペーパー部分１０”ｅを前記切断補助部Ａｂに押しつけ切断し、用便時などにおける拭き去りに都合の良い重ね合わせ状態の切断ペーパーを片手操作によって得るように用いることができる。
【００１９】
かかるトイレットペーパーの巻取り切断操作は、更に、例えば、前記掛け回し軸部Ａａに前記トイレットペーパーホルダー２０のペーパーロール１０’から引き出される引き出しペーパー部分１０”を反転状態に掛け回わして、この掛け回された引き出しペーパー部分１０”ｂのペーパー端部１０”ａと当該反転ペーパー部分１０”ｂに向き合うように前記ペーパーロール１０’から引き出されている向き合いペーパー部分１０”ｃとの重ね合わせ部分１０”ｄを指Ｂ間に挟持し、又は、前記掛け回し軸部Ａａに掛け回された反転ペーパー部分１０”ｂを当該反転ペーパー部分１０”ｂに向き合うように前記ペーパーロール１０’から引き出されて該反転ペーパー部分１０”ｂに向き合わされる向き合いペーパー部分１０”ｃと共に前記掛け回し軸部Ａａを巡るように一巡り以上巡らすと共に該掛け巡らしペーパー部分１０”ｆと該掛け巡らしペーパー部分１０”ｆに向き合うように前記ペーパーロール１０’から引き出されて該掛け巡らしペーパー部分１０”ｆに向き合わされる向き合いペーパー部分１０”ｃとの重ね合わせ部分１０”ｄを指Ｂ間に挟持し、
次いで、この指Ｂ間に挟持された重ね合わせ部分１０”ｄの移動により、この指Ｂ間に挟持された重ね合わせ部分１０”ｄと前記トイレットペーパーホルダー２０のペーパーロール１０’との間にあるペーパー部分１０”ｅを前記切断補助部Ａｂに押しつけ切断し、用便時などにおける拭き去りに都合の良い重ね合わせ状態の切断ペーパーを片手操作によって得るように用いることができる。
【００２０】
また、前記構成に係るトイレットペーパーの巻取り具Ａにおいて、前記切断補助部Ａｂと前記掛け回し軸部Ａａとの間の間隔を調節可能としたトイレットペーパーの巻取り具Ａにあっては、前記特長に併せて、片手操作によって、ペーパーロール１０’から引き出される引き出しペーパー部分１０”を用便時などにおいて拭き去りに都合の良い長さの重ね合わせ状態にして切断用いることができる。
【００２１】
また、前記構成に係るトイレットペーパーの巻取り具Ａにおいて、前記ペーパーロール１０’から引き出されている引き出しペーパー部分１０”の押しつけられる切断補助部Ａｂの面を摩擦抵抗の大きい面としたトイレットペーパーの巻取り具Ａにあっては、前記特長に併せて、トイレットペーパー１０の切断が、当該トイレットペーパー１０におけるペーパーロール１０’からの引き出しペーパー部分１０”の切断補助部Ａｂに対する接触抵抗によってなされることから、トイレットペーパー１０の引き出し使用や、当該トイレットの清掃などにおいて、この切断補助部Ａｂに対して予期せずに接触しても、被傷などの不具合を生じ難い特長を有している。
【００２２】
かかる巻取り具Ａは前記構成を備えたものであれば、いかなる形態のものであってもよく、トイレットペーパーホルダー２０と一体のものとして構成してあってもよく、また、トイレットペーパーホルダー２０と別体のものとして構成してあってもよい。
【００２３】
また、かかる巻取り具Ａを備えて用いられるトイレットペーパーホルダー２０は、ペーパーロール１０’を装填し得るものであればいかなる形態のものであってもよく、例えば、軸によってペーパーロール１０’を回転自在に保持し得るものや、半筒受皿状の受け部によってペーパーロール１０’を回転自在に保持し得るものなど、いかなる形態のものであってもよい。かかるトイレットペーパーホルダー２０はトイレットに既に設置されているものであってもよく、また、当該巻取り具Ａと共にトイレットに備えられるものであってもよい。
【００２４】
かかるトイレットペーパーホルダー２０に回転自在に装填されるトイレットペーパー１０のペーパーロール１０’から引き出される引き出しペーパー部分１０”を重ね合わせの状態にして切断する巻取り具Ａは、金属製、プラスチック製などいかなる素材によって構成してあってもよい。かかる巻取り具Ａは、前記構成を備えたものであれば切断補助部Ａｂと掛け回し軸部Ａａとを一体のものとして構成してあってもよく、また、当該切断補助部Ａｂと掛け回し軸部Ａａとを別体のものとして構成してあってもよい。
【００２５】
かかる巻取り具Ａを構成する掛け回し軸部Ａａと切断補助部Ａｂとは、この切断補助部Ａｂが該掛け回し軸部Ａａよりもトイレットペーパーホルダー２０のペーパーロール１０’に近い位置に設けられており、しかも、この掛け回し軸部Ａａにペーパーロール１０’から引き出された引き出しペーパー部分１０”を掛け回し得ると共に、この掛け回し軸部Ａａに掛け回された各引き出しペーパー部分１０”における重ね合わせ部分１０”ｄの移動によって該重ね合わせ部分１０”ｄと前記トイレットペーパーホルダー２０のペーパーロール１０’との間にあるペーパー部分１０”ｅを該切断補助部Ａｂに押しつけ切断し得る位置に備えられた構成としてあれば、いかなる位置に備えられておってもよい。
【００２６】
かかる巻取り具Ａを構成する切断補助部Ａｂは、前記構成を備えたものであれば、いかなる構成のものであってもよい。
かかる切断補助部Ａｂは、例えば、前記重ね合わせ部分１０”ｄと前記ペーパーロール１０’との間にあるペーパー部分１０”ｅを該切断補助部Ａｂに押しつけ接触させた際に、この引き出しペーパー部分１０”の滑り移動を阻止し得る摩擦抵抗の大きい面を備えた切断補助部Ａｂとして構成することができる。
例えば、各種のゴム材や各種プラスチックフォーム材などの摩擦抵抗の大きい表面層部を備えた切断補助部Ａｂとすることによって、当該切断補助部Ａｂの切断面で、手や指などを引っかいたり、擦ったり、切ったりするなどの危険性が少なく、より安全に引き出しペーパー部分１０ｅ”を切断することができる。
かかる切断補助部Ａｂは、更に、例えば、これを、長手側を亙って直刃状、波刃状、鋸刃状などの形状の切断刃を備えたプラスチック製、木製などの棒状をなす切断補助部Ａｂとして構成するようにしてあってもよい。かかる切断補助部Ａｂにあっては、ペーパー部分１０”ｅの切断面をよりシャープな状態にして切断することができる。
かかる切断補助部Ａｂは、更に、例えば、これを、凹凸、ヤスリ状の凹凸、歯型状突起物、楔型状突起物などを備え、その一部または全体を摩擦抵抗の大きい表面部とした鉄製、プラスチック製などの棒状をなす切断補助部Ａｂとして構成するようにしてあってもよい。かかる切断補助部Ａｂにあっては、ペーパー部分１０”ｅをより確実に、かつ簡易に切断することができる。
かかる切断補助部Ａｂは、更に、例えば、これを、当該切断補助部Ａｂに押し付けられるペーパー部分１０”ｅのガイド部３４ｙと当該ガイド部３４ｙによって案内されたペーパー部分１０”ｅを寄せ集め状態で切断するカッター部３４ｘとを備えたものとしてプラスチック材などによって構成するようにしてあってもよい。かかる切断補助部Ａｂにあっては、ペーパー部分１０”ｅを寄せ集めの状態で、確実、かつ簡易に切断することができる。
【００２７】
かかる巻取り具Ａを構成する切断補助部Ａｂと掛け回し軸部Ａａは、典型的には、当該巻取り具Ａと共に備えられるトイレットペーパーホルダー２０に装填されるトイレットペーパー１０のペーパーロール１０’の回転軸線に平行をなすように設ける。
【００２８】
かかる巻取り具Ａを構成する切断補助部Ａｂと掛け回し軸部Ａａは、例えば、当該巻取り具Ａと共に備えられるトイレットペーパーホルダー２０に装填されるトイレットペーパー１０のペーパーロール１０’の回転軸線に平行をなすように設けられる棒状物、管状物や板状物などによって構成する。
【００２９】
また、かかる巻取り具Ａを構成する掛け回し軸部Ａａは、例えば、この掛け回し軸部Ａａに掛け回されるトイレットペーパー１０の引き出しペーパー部分１０”の掛け回し接触によって回転するスリーブを備えた棒状軸として構成することができる。
【００３０】
かかる巻取り具Ａは、典型的には、当該巻取り具Ａを構成する切断補助部Ａｂを前記トイレットペーパーホルダー２０に装填されているトイレットペーパー１０のペーパーロール１０’よりも下方の位置に設けると共に、この巻取り具Ａを構成する掛け回し軸部Ａａを該切断補助部Ａｂの下方に位置するように設ける構成としてある。
【００３１】
図示例に係るトイレットペーパーホルダー２０は、カバー２３と、一対の側板状部２１，２１間にトイレットペーパー１０のペーパーロール１０’を補充可能且つ回転自在に保持し得る軸２２とを備えた構成としてあり、当該トイレットペーパーホルダー２０から当該トイレットペーパー１０のペーパーロール１０’や当該ペーパーロール１０’の筒状芯１０’ａを容易に外して次のトイレットペーパー１０のペーパーロール１０’を容易に装着して用い得るように構成してあり、この図示例にあっては、カバー２３の先端側を上下方向に回動自在に設けてあると共に、前記軸２２を前記側板状部２１の夫々の内側において、水平位置から前記側板状部２１内に納まるように回動自在にその基部側を当該側板状部２１に組み付けられた短寸軸状に構成してあり、この各軸２２、２２を下方に向けて付勢してあると共に水平の状態に支承される構成としてある。
【００３２】
かかるトイレットペーパーホルダー２０の下方に備えられる典型的な一実施の形態に係る巻取り具Ａについて説明する。
この典型的な実施の形態に係る巻取り具Ａは、切断補助部Ａｂを構成する切断補助軸３２を有する上部材３０と、掛け回し軸部Ａａを構成する掛け回し軸４２を有すると共に前記上部材３０に対して上下方向に移動調節可能に組み付けられる下部材４０とを備えた構成としてあり、この上部材３０に対する下部材４０の調節可能な組み付け手段５０を有する構成としてある。
かかる組み付け手段５０は、前記下部材４０を上部材３０に対して上下方向に移動し、且つ、その移動状態において該上部材３０に固定状態に維持し得るものであればいかなる構成のものであってもよく、例えば、前記上部材３０及び下部材４０のいずれか一方に上下方向に長いガイド孔５１を設けると共に他方の部材にスタッドボルトを設け、このガイド孔５１に挿通したスタッドボルトにナット５４を締め付けることによって、当該下部材４０を上部材３０に対して、上下方向において、その目的とする位置まで移動した状態で止着したり、
また、例えば、前記上部材３０及び下部材４０のいずれか一方に上下方向に長いガイド孔５１を設けると共に他方の部材にボルト挿通孔５２を設け、このガイド孔５１と挿通孔５２とに挿通したボルト５３にナット５４を締め付けることによって、当該下部材４０を上部材３０に対して、上下方向において、その目的とする位置まで移動した状態で止着するなど各種の組み付け手段によって構成される。
【００３３】
まず、図１〜図７に示される本発明の典型的な第１の実施の形態に係るトイレットペーパーの巻取り具Ａについて具体的に説明する。
この典型的な第１の実施の形態に係る巻取り具Ａを構成する上部材３０は、前記トイレットペーパーホルダー２０よりも下方にあって、少なくとも一方の側端を前記トイレットペーパーホルダー２０に装填されているペーパーロール１０’の軸方向で該ペーパーロール１０’よりも外方に位置するようにして壁６０に添装状態に取付けられる取付け板部３１ａと、前記トイレットペーパーホルダー２０に装填されているペーパーロール１０’よりも該ペーパーロール１０’の軸方向で外方にある該取付け板部３１ａの側端から壁６０面の前方に向けて直角に屈曲して突き出された突き出し板部３１ｂと、この突き出し板部３１ｂの先端部から該突き出し板部３１ｂと同面状をなすように下方に向けて直角に突き出し状態に設けられている垂設板部３１ｃとを備えた板状部３１と、この板状部３１における前記垂設板部３１ｃから前記取付け板部３１ａに平行となるように突き出し状態に設けられている切断補助軸３２とを備えた構成としてあり、この切断補助軸３２が、前記トイレットペーパーホルダー２０に装填されているトイレットペーパー１０のペーパーロール１０’における回転軸線に平行となるように設けてある。
【００３４】
次いで、前記下部材４０は、前記上部材３０における垂設板部３１ｃの面に一方の面を接して当該垂設板部３１ｃに添装状態に組み付けられる調節板部４１と、この調節板部４１から前記切断補助軸３２に平行、即ち、前記トイレットペーパーホルダー２０に装填されているトイレットペーパー１０のペーパーロール１０’における回転軸線に平行となるように突き出し状態に設けられている掛け回し軸４２とを備えた構成としてある。
【００３５】
かかる構成からなる上部材３０は、該上部材３０における切断補助軸３２がトイレットペーパーホルダー２０に装填されているトイレットペーパー１０のペーパーロール１０’の下方に位置するように、その取付け板部３１ａを該取付け板部３１ａに設けられている孔３１ｄを用いて壁６０に対してビスなどの止着具３３によって取付けてあり、当該切断補助軸３２が前記トイレットペーパー１０のペーパーロール１０’の回転軸線に平行な状態で該上部材３０の垂設板部３１ｃから片持ちの状態に備えられた構成としてある。
【００３６】
また、前記下部材４０は、この下部材４０を構成する調節板部４１を前記垂設板部３１ｃの板幅とほぼ同一の板幅を有する上下方向に長い板状のものとして構成してあると共に、前記調節手段５０によって上部材３０に対して上下方向に移動調節できるように組みつけてある。この図示例にあっては、当該調節板部４１に前記上部材３０に備えられている上下方向に長いガイド孔５１’に連通する孔５２’を備えた構成としてあり、前記ガイド孔５１’と該孔５２’とに挿通されたボルト５３’と、これに螺合される蝶ナット５４’とによって、当該蝶ナット５４’とボルト５３’の頭部との間に前記垂設板部３１ｃと調節板部４１とを挟持固定するようにしてあり、該下部材４０を前記上部材３０に対して該ガイド孔５１’の長さ範囲において上下方向で調節可能に止着状態で組み付け得る構成としてある。
なお、この図示例にあっては、ボルト５３’の締め付けに用いられる蝶ナット５４’が掛け回し軸部Ａａの突き出し側と反対の側に位置付けられるように、重ね合わせの状態とされている前記垂設板部３１ｃ及び調節板部４１の内側、即ち、前記掛け回し軸部Ａａの突設側からボルト５３’を前記ガイド孔５１’と前記孔５２’とに挿通し、この掛け回し軸部Ａａの突設側と反対の側に当該ガイド孔５１’及び孔５２’から突き出されているボルト５３’の突き出し部に蝶ナット５４’を螺合することによって、当該蝶ナット５４’とボルト５３’の頭部との間で前記垂設板部３１ｃと調節板部４１とを挟持固定するようにしてあり、蝶ナット５４’が引き出しペーパー部分１０”の引き出し、掛け回しの妨げとならないように該下部材４０を前記上部材３０に対して該ガイド孔５１’の長さ範囲において上下方向で調節可能に止着状態で組み付けてある。
【００３７】
このように上部材３０に止着状態に組み付けられた下部材４０における掛け回し軸４２は、前記切断補助軸３２のほぼ直下にあって、この切断補助軸３２と、前記トイレットペーパー１０のペーパーロール１０’の回転軸線に平行な状態で該下部材４０における調節板部４１から片持ちの状態で突き出すように備えられた構成としてある。
【００３８】
かかる上部材３０における切断補助部Ａｂを構成する切断補助軸３２は、前記掛け回し軸部Ａａを構成する掛け回し軸４２に前記トイレットペーパーホルダー２０のペーパーロール１０’から引き出される引き出しペーパー部分１０”を反転状態に掛け回わして、この掛け回された反転ペーパー部分１０”ｂと該反転ペーパー部分１０”ｂに向き合うように前記ペーパーロール１０’から引き出されている向き合いペーパー部分１０”ｃとの重ね合わせ部分１０”ｄを移動し、又は、前記掛け回し軸４２に掛け回された反転ペーパー部分１０”ｂを当該反転ペーパー部分１０”ｂに向き合うように前記ペーパーロール１０’から引き出されて該反転ペーパー部分１０”ｂに向き合わされる向き合いペーパー部分１０”ｃと共に前記掛け回し軸４２を巡るように一巡り以上巡らした掛け巡らしペーパー部分１０”ｆと該掛け巡らしペーパー部分１０”ｆに向き合うように前記ペーパーロール１０’から引き出されて当該掛け巡らしペーパー部分１０”ｆに向き合わされる向き合いペーパー部分１０”ｃとの重ね合わせ部分１０”ｄを移動することによって、
この重ね合わせ部分１０”ｄと前記トイレットペーパーホルダー２０のペーパーロール１０’との間にあるペーパー部分１０”ｅを押しつけ切断し得る構成としてあり、この図示例にあっては、この切断補助軸３２を、当該切断補助軸３２に押し付けられる引き出しペーパー部分１０”の滑り移動を阻止する摩擦抵抗の大きい表面を有する構成としてある。
【００３９】
かかる引き出しペーパー部分１０”の滑り移動を阻止する摩擦抵抗の大きい表面を有する切断補助軸３２は、例えば、断面円形の棒状体や断面円形の筒状体の外周面に生ゴムなどの各種のゴム材や各種のプラスチックフオーム材などの摩擦抵抗の大きい表面層部３２ａを設けることによって構成することができる。
【００４０】
また、前記の掛け回し軸部Ａａを構成する掛け回し軸４２は、この掛け回し軸４２を利用してペーパーロール１０’から引き出された引き出しペーパー部分１０”を都合良く反転し、又は、この掛け回し軸４２に掛け回された反転ペーパー部分１０”ｂを当該反転ペーパー部分１０”ｂに向き合うように前記ペーパーロール１０’から引き出されて該反転ペーパー部分１０”ｂに向き合わされる向き合いペーパー部分１０”ｃと共に当該掛け回し軸４２の巡りを容易に巡らせ得るように片持ちの状態に設けてあり、例えば、断面円形の棒状体や断面円形の筒状体などによって構成してある。
【００４１】
このように構成される巻取り具Ａにあっては、例えば、前記掛け回し軸部Ａａに前記トイレットペーパーホルダー２０のペーパーロール１０’から引き出される引き出しペーパー部分１０”を反転状態に掛け回わすと共に、この反転ペーパー部分１０”ｂと当該反転ペーパー部分１０”ｂに向き合うように前記ペーパーロール１０’から引き出されて該反転ペーパー部分１０”ｂに向き合わされる向き合いペーパー部分１０”ｃとの重ね合わせ部分１０”ｄを、例えば、指Ｂ間に挟持し、次いで、この重ね合わせ部分１０”ｄを移動して、この重ね合わせ部分１０”ｄと前記トイレットペーパーホルダー２０のペーパーロール１０’との間にあるペーパー部分１０”ｅを前記切断補助部Ａｂに押しつけ切断することによって、用便時などにおける拭き去りに都合の良い重ね合わせ状態の切断ペーパーを片手操作によって得るように用いることができる。
【００４２】
また、例えば、前記掛け回し軸部Ａａに掛け回された反転ペーパー部分１０”ｂを当該反転ペーパー部分１０”ｂに向き合うように前記ペーパーロール１０’から引き出されて該反転ペーパー部分１０”ｂに向き合わされる向き合いペーパー部分１０”ｃと共に前記掛け回し軸部Ａａを巡るように一巡り以上巡らすと共に該掛け巡らしペーパー部分１０”ｆと該掛け巡らしペーパー部分１０”ｆに向き合うように前記ペーパーロール１０’から引き出されて該掛け巡らしペーパー部分１０”ｆに向き合わされる向き合いペーパー部分１０”ｃとの重ね合わせ部分１０”ｄを、例えば、指Ｂ間に挟持し、次いで、この重ね合わせ部分１０”ｄを移動して、この重ね合わせ部分１０”ｄと前記トイレットペーパーホルダー２０のペーパーロール１０’との間にあるペーパー部分１０”ｅを前記切断補助部Ａｂに押しつけ切断することによって、用便時などにおける拭き去りに都合の良い重ね合わせ状態の切断ペーパーを片手操作によって得るように用いることができる。
【００４３】
かかるトイレットペーパー１０の巻取り具Ａの使用は、前記トイレットペーパーホルダー２０に装填されているペーパーロール１０’から引き出される引き出しペーパー部分１０”を、前記切断補助軸３２の前方又は後方のいずれかを経て前記掛け回し軸４２の前方又は後方のいずれかの側に案内して当該掛け回し軸４２に対して該掛け回し軸４２を巡るように反転状態に掛け回すと共に、この掛け回された反転ペーパー部分１０”ｂと当該反転ペーパー部分１０”ｂに向き合うように前記ペーパーロール１０’から引き出されている向き合いペーパー部分１０”ｃとの重ね合わせ部分１０”ｄを、例えば、任意の指Ｂ間に挟持し、又は、前記掛け回し軸４２に掛け回された反転ペーパー部分１０”ｂを当該反転ペーパー部分１０”ｂに向き合うように前記ペーパーロール１０’から引き出されて該反転ペーパー部分１０”ｂに向き合わされる向き合いペーパー部分１０”ｃと共に前記掛け回し軸４２を巡るように一巡り以上巡らすと共に該掛け巡らしペーパー部分１０”ｆと該掛け巡らしペーパー部分１０”ｆに向き合うように前記ペーパーロール１０’から引き出されて該掛け巡らしペーパー部分１０”ｆに向き合わされる向き合いペーパー部分１０”ｃとの重ね合わせ部分１０”ｄを、例えば、指Ｂ間に挟持し、
次いで、この重ね合わせ部分１０”ｄを、当該重ね合わせ部分１０”ｄと前記トイレットペーパーホルダー２０のペーパーロール１０’との間にあるペーパー部分１０”ｅが前記切断補助軸３２に押しつけ切断される向きに移動して当該ペーパー部分１０”ｅを切断して用いることができる。
【００４４】
このように構成されるトイレットペーパー１０の巻取り具Ａにあっては、例えば、トイレットペーパーホルダー２０に装填されているトイレットペーパー１０のペーパーロール１０’から引き出された引き出しペーパー部分１０”を前記切断補助軸３２の後方側から前記掛け回し軸４２の前方側に案内すると共に、これを該掛け回し軸４２に対して反転状態に掛け回わし、次いで、この掛け回された反転ペーパー部分１０”ｂのペーパー端部１０”ａと当該反転ペーパー部分１０”ｂに向き合うように前記ペーパーロール１０’から引き出されている向き合いペーパー部分１０”ｃとを図４及び図５に示されるように指Ｂ間に挟持すると共に、この指Ｂ間に挟持された重ね合わせ部分１０”ｄを図５における矢印Ｙの向きに移動して、この指Ｂ間に挟持された重ね合わせ部分１０”ｄと前記トイレットペーパーホルダー２０のペーパーロール１０’との間にあるペーパー部分１０”ｅを前記切断補助軸３２に押しつけ切断するようにして用いることができる。
【００４５】
また、このように構成されるトイレットペーパー１０の巻取り具Ａにあっては、例えば、トイレットペーパーホルダー２０に装填されているトイレットペーパー１０のペーパーロール１０’から引き出された引き出しペーパー部分１０”を前記切断補助軸３２の後方側から前記掛け回し軸４２の前方側に案内すると共に、これを該掛け回し軸４２に対して反転状態に掛け回わし、この掛け回された反転ペーパー部分１０”ｂのペーパー端部１０”ａを図６に示されるように指Ｂ間に挟持すると共に、この反転ペーパー部分１０”ｂに向き合うように前記ペーパーロール１０’から引き出されている向き合いペーパー部分１０”ｃと共に前記掛け回し軸４２を巡るように一巡り以上巡らし、この掛け巡らしペーパー部分１０”ｆと該掛け巡らしペーパー部分１０”ｆに向き合うように前記ペーパーロール１０’から引き出されて該掛け巡らしペーパー部分１０”ｆに向き合わされる向き合いペーパー部分１０”ｃとの重ね合わせ部分１０”ｄを、例えば、図７に示されるように指Ｂ間に挟持し、次いで、この指Ｂ間に挟持した重ね合わせ部分１０”ｄを矢印Ｙ’の向きに移動し、この指Ｂ間に挟持された重ね合わせ部分１０”ｄと前記トイレットペーパーホルダーのペーパーロール１０’との間にあるペーパー部分１０”ｅを前記切断補助軸３２に押しつけ切断するようにして用いることができる。
【００４６】
このように構成されるトイレットペーパー１０の巻取り具Ａにあっては、片手操作のみのよって、用便などにおいて拭き去りなどに都合の良い重ね合わせの状態に、トイレットペーパーホルダー２０のペーパーロール１０’からペーパーを巻取り切断して用いることができる利点を有しており、片手操作を余儀なくされている人や、余儀なく片手操作をせざるを得ない状態にある場合にあっても、トイレットペーパーホルダー２０のペーパーロール１０’からの引き出しペーパー部分１０”を容易に必要な重ね合わせの状態に切断して用いることができる。
【００４７】
また、前記切断補助部Ａｂと前記掛け回し軸部Ａａとの間の間隔を調節することによって、片手操作のみによって、ペーパーロール１０’から引き出される引き出しペーパー部分１０”を用便などに際して拭き去りに都合の良い長さの重ね合わせ状態にして巻取り切断して用いることができる。
【００４８】
また、前記ペーパーロール１０’から引き出されている引き出しペーパー部分１０”の押しつけられる切断補助部Ａｂの面を摩擦抵抗の大きい面とすることによって、ペーパーロール１０’からのペーパーの引き出しや当該引き出しペーパー部分１０”を重ね合わせ状態に巻取り切断する際や、トイレットの清掃などに際して、当該切断補助部Ａｂに接触しても被傷などの不具合を生じ難く片手操作に適したトイレットペーパー１０の巻取り具Ａを提供することができる。
【００４９】
また、ペーパーロール１０’から引き出された引き出しペーパー部分１０”が切断補助部Ａｂに対する押し付けによって切断されることから、このペーパーロール１０’からの引き出しペーパー部分１０”の先端部がトイレットペーパーホルダー２０における蓋内に隠れてしまうことがなく、片手操作によっても、トイレットペーパー１０のペーパーロール１０’からの引き出し使用に際して容易に先端部を指Ｂ間に挟持することができる。
【００５０】
また、前記巻取り具Ａは、既設のトイレットペーパーホルダー２０と別体に構成した場合、既設のトイレットペーパーホルダー２０を取り替えることなく、当該トイレットペーパホルダー２０に対応して設置して用いることができる。
【００５１】
次いで、図８に示される本発明の典型的な第２の実施の形態に係るトイレットペーパーの巻取り具Ａについて具体的に説明する。
この図８に示される第２の実施の形態に係るトイレットペーパーの巻取り具Ａは、任意の形態からなるトイレットペーパーホルダー２０に装填されているロール状をなすトイレットペーパー１０、すなわち、筒状芯１０’ａにペーパーを巻つけてなるロール状をなすトイレットペーパー１０のペーパーロール１０’から引き出される引き出しペーパー部分１０”を反転状態に掛け回す片持ち状態に設けられた掛け回し軸部Ａａと、
この掛け回し軸部Ａａよりも前記トイレットペーパーホルダー２０のペーパーロール１０’に近い位置に設けられて前記ペーパーロール１０’から引き出された引き出しペーパー部分１０”を押しつけ状態にて切断可能とする切断補助部Ａｂとを備えた構成としてあって、
当該実施の形態に係る巻取り具Ａが理解され易いように付帯されるトイレットペーパーホルダー２０等を割愛して当該巻取り具Ａのみを示している。
【００５２】
この第２の実施の形態に係るトイレットペーパーの巻取り具Ａは、下部材４０における調節板部４１ａを前記第１の実施の形態に係る巻取り具Ａに示されている調節板部４１よりも長尺状とし、この長尺状に構成されている調節板部４１ａに上下方向に長いガイド孔５１”を設けると共に、前記第１の実施の形態に係る巻取り具Ａにおける垂設板部３１ｃよりやや短めに構成されて当該調節板部４１ａの添装される上部材３０の垂設板部３１ｃ’の外側面、より具体的には、前記切断補助部Ａｂの備えられている側と反対の側の面部に螺杆５３”を突き出し状態に設け、しかも、この螺杆５３”の突設されている垂設板部３１ｃ’の面部に該螺杆５３”に連続して前記ガイド孔５１”に納め入れられる上下方向に長い台状隆起部５５を設けた以外の構成を前記第１の実施の形態に係る巻取り具Ａの構成と実質的に同一としてあり、前記第１の実施の形態に係る巻取り具Ａと略同様にして用いられると共に、前記第１の実施の形態に係る巻取り具Ａにおけると同様の効果をもたし得るようにしてある。
従って、前記第１の実施の形態に係る巻取り具Ａと同一又は実質的に同一の構成部分には同一の番号を付して、その説明を省略する。
【００５３】
かかる第２の実施の形態に係る巻取り具Ａにあっては、前記螺杆５３”を挿通された前記ガイド孔５１”に対して、前記台状隆起部５５がほぼガタなく納め入れられて該ガイド孔５１”内を都合よく摺動し得る構成としてある。
【００５４】
この第２の実施の形態に係る巻取り具Ａにあっては、前記上部材３０の垂設板部３１ｃ’の外側面に当該垂設板部３１ｃ’における前記螺杆５３”及び台状隆起部５５を前記ガイド孔５１”に受け入れるようにして下部材４０における調節板部４１ａ面を接して添装状態に組み付けると共に、この下部材４０を適宜上下方向に移動して、前記掛け回し軸４２及び切断補助軸３２間の間隔を、当該巻取り具Ａの使用に最も適した位置に設定し、前記ガイド孔５１”から突き出されている前記螺杆５３”に蝶ナット５４”を螺締して、下部材４０を上部材３０に固定状態にして用いる。
【００５５】
かかる第２の実施の形態に係る巻取り具Ａにあっては、ガイド孔５１”に対して当該ガイド孔５１”の長さ方向に長い台状隆起部５５がほぼガタなく納め入れられていることから、下部材４０は上部材３０に対して垂直状態を維持するように組み付けられると共に、下部材４０における長尺状の調節板部４１に上下方向に長いガイド孔５１”を設けたことから前記掛け回し軸４２と切断補助軸３２との間の間隔の調節幅を比較的大きくすることができ、また、螺杆５３”に螺着される蝶ナット５４”が引き出しペーパー部分１０”の引き出し及び掛け回しの妨げとなることがない。
【００５６】
かかる構成よりなる巻取り具Ａの典型的な具体例として、例えば、前記取付け板部３１ａをトイレットペーパーホルダー２０の下縁に沿って壁６０に取付け用いられる横長の板状のものとし、しかも、この取付け板部３１ａの長さ寸法を当該トイレットペーパーホルダー２０の横幅とほぼ同一の寸法とし、さらに、前記切断補助軸３２及び掛け回し軸４２の軸中心線の向きの寸法を該取付け板部３１ａの寸法とほぼ同一の寸法とし、しかも、前記切断補助軸３２の軸中心線と前記掛け回し軸４２の軸中心線との間の寸法を１００ｍｍから３００ｍｍとすると共に、壁６０面と該切断補助軸３２の軸中心線との間の寸法及び壁６０面と該掛け回し軸４２の軸中心線との間の寸法をほぼ８０ｍｍから１５０ｍｍとして構成する。
【００５７】
次いで、図９〜図１１に示される本発明の典型的な第３の実施の形態に係るトイレットペーパーの巻取り具Ａについて具体的に説明する。
この図９〜図１１に示される第３の実施の形態に係るトイレットペーパーの巻取り具Ａは、任意の形態からなるトイレットペーパーホルダー２０に装填されているロール状をなすトイレットペーパー１０、すなわち、筒状芯１０’ａにペーパーを巻つけてなるロール状をなすトイレットペーパー１０のペーパーロール１０’から引き出される引き出しペーパー部分１０”を反転状態に掛け回す片持ち状態に設けられた掛け回し軸部Ａａと、
この掛け回し軸部Ａａよりも前記トイレットペーパーホルダー２０のペーパーロール１０’に近い位置に設けられて前記ペーパーロール１０’から引き出された引き出しペーパー部分１０”を押しつけ状態にて切断可能とする切断補助部Ａｂとを備えた構成としてあって、
この引き出しペーパー部分１０”を押しつけ状態にて切断可能とする切断補助部Ａｂを、当該切断補助部Ａｂに押しつけられる引き出しペーパー部分１０”を押しつけ切断するカッター部３４ｘと、このカッター部３４ｘに当該押しつけ引き出しペーパー部分１０”を案内するガイド部３４ｙとを備えた構成とした以外の構成を前記第１の実施の形態に係る巻取り具Ａの構成と同一又は実質的に同一の構成としてあり、同様にして用い得ると共に、ほぼ同様の効果をもたらし得るようにしてある。
従って、前記第１の実施の形態に係る巻取り具Ａと同一又は実質的に同一の構成部分には同一の番号を付して、その説明を省略する。
【００５８】
当該実施の形態に係る巻取り具Ａを構成する切断補助部Ａｂは、当該切断補助部Ａｂに押しつけられる引き出しペーパー部分１０”を押しつけ切断するカッター部３４ｘと、このカッター部３４ｘに当該押しつけ引き出しペーパー部分１０”を案内するガイド部３４ｙとを備えた構成としてあり、より典型的には、当該切断補助部Ａｂにおける前記ペーパーロール１０’の側に、カッター部３４ｘと、このカッター部３４ｘに連続し、しかも、当該カッター部３４ｘから該ペーパーロール１０’に漸次近づくように備えられる一対のガイド部３４ｙ、３４ｙとを備えた構成としてある。
【００５９】
かかる切断補助部Ａｂは、例えば、切断補助プレート３４によって構成してあり、この切断補助プレート３４における前記ペーパーロール１０’の側にある縁３４ｂに、カッター部３４ｘと、このカッター部３４ｘの両側から前記ペーパーロール１０’に漸次近づくように備えられる一対のガイド部３４ｙ、例えば、弧状または傾斜状をなすガイド部３４ｙとを備えた構成としてある。
かかる切断補助プレート３４は、例えば、プラスチック材などによって構成してあり、前記突き出し板部３１ｂの先端側の側面から突き出し状態に片持ちの状態に備えられており、この切断補助プレート３４の面が略横向きであって、前記ペーパーロール１０’の回転軸線に平行をなす面としてある。
より具体的には、この切断補助プレート３４は、その一側端部の一部を前記突き出し板部３１ｂの先端側の側面に一体に連続するように設けてあり、前記取付け板部３１ａに平行をなすように該突き出し板部３１ｂから突き出し状態に設けてあり、該突き出し板部３１ｂの面に直交する水平な面を備えたものとして構成してある。
【００６０】
かかる切断補助プレート３４は、典型的には、横長状の平板状に構成してあり、前記突き出し板部３２から突設されている基部側をなす一方側端縁３４ｃと、これと反対の側にある自由端としての側端縁３４ｄと、前記トイレットペーパーホルダー２０に装填されているペーパーロール１０’の側にあって当該側端縁３４ｃ及び側端縁３４ｄとの間に亙って備えられている縁３４ｂと、該縁３４ｂと反対の側にあって当該切断補助プレート３４の前縁を構成するように前記側端縁３４ｃ及び側端縁３４ｄ間に亙って備えられている縁３４ａとを有する構成としてある。
【００６１】
なお、この図示例にあっては、当該切断補助プレート３４の長さ寸法を、前記切断補助軸３２の長さ寸法とほぼ同一のものとして、前記トイレットペーパーホルダー２０に装填されているペーパーロール１０’から引き出される引き出しペーパー部分１０”が、当該切断補助プレート３４における縁３４ｂに対して都合よく押しつけ接触し得る構成としてある。
【００６２】
この図示例に係る切断補助プレート３４は、その縁３４ｂを、その長幅のほぼ中央部分において縁３４ａの側に凹む一対の弧状縁３４ｂ’、３４ｂ’を備えた構成としてあり、この各弧状縁３４ｂ’、３４ｂ’の接し合う連続部分が鋭角なＶ字状とされており、このＶ字状をなす連続部分が前記引き出しペーパー部分１０”の押し付け切断されるカッター部３４ｘとしてあると共に、当該弧状縁３４ｂ’における当該カッター部３４ｘ以外の部分が該弧状縁３４ｂ’に押し付けられる前記引き出しペーパー部分１０”を前記カッター部３４ｘに案内するガイド部３４ｙとして構成してある。
かかる弧状縁３４ｂ’のガイド部３４ｙの縁端は、例えば、その断面を弧状面などの滑らかな面として構成する。また、かかる弧状縁３４ｂ’のカッター部３４ｘの縁端は、例えば、その断面を先端が鋭角をなす尖端状の刃状をなすように構成する。
【００６３】
この図示例に係る切断補助プレート３４における縁３４ｂは、更に具体的には、該縁３４ｂのほぼ中央部で縁３４ａに最も接近すると共に前記側端縁３４ｃ及び側端縁３４ｄに連続する部分で前記縁３４ａから最も離れるように前記ペーパーロール１０’の側に向けて弧状に張り出す一対の弧状縁３４ｂ’、３４ｂ’を備えた構成としてあり、この各弧状縁３４ｂ’、３４ｂ’のＶ字状をなす連続部分が前記前記引き出しペーパー部分１０”の押し付け切断されるカッター部３４ｘとしてあると共に、当該弧状縁３４ｂ’における当該カッター部３４ｘ以外の部分が該弧状縁３４ｂ’に押し付けられる前記引き出しペーパー部分１０”を前記カッター部３４ｘに案内するガイド部３４ｙとしてある。
【００６４】
このように構成されるトイレットペーパー１０の巻取り具Ａにあっては、例えば、トイレットペーパーホルダー２０に装填されているトイレットペーパー１０のペーパーロール１０’から引き出された引き出しペーパー部分１０”を前記切断補助プレート３４の後方側から前記掛け回し軸４２の、例えば前方側に案内すると共に、これを該掛け回し軸４２に対して反転状態に掛け回わし、次いで、この掛け回された反転ペーパー部分１０”ｂと当該反転ペーパー部分１０”ｂに向き合うように前記ペーパーロール１０’から引き出されている向き合いペーパー部分１０”ｃとの重ね合わせ部分１０”ｄを、例えば、指Ｂ間に挟持して移動し、この重ね合わせ部分１０”ｄと前記トイレットペーパーホルダー２０のペーパーロール１０’との間にあるペーパー部分１０”ｅを前記切断補助プレート３４の縁３４ｂに押しつけ、当該押し付けによって、この押し付けペーパー部分１０”ｅを当該縁３４ｂにおける弧状縁３４ｂ’のガイド部３４ｙでカッター部３４ｘに案内し、このカッター部３４ｘに纏められた当該ペーパー部分１０”ｅを当該纏められた状態で該カッター部３４ｘにおいて切断することによって、拭き去りなどに都合の良い重ね合わせの状態の切断ペーパーを容易かつ確実に得ることができる。
【００６５】
また、このように構成されるトイレットペーパー１０の巻取り具Ａにあっては、例えば、トイレットペーパーホルダー２０に装填されているトイレットペーパー１０のペーパーロール１０’から引き出された引き出しペーパー部分１０”を前記切断補助プレート３４の後方側から前記掛け回し軸４２の、例えば前方側に案内すると共に、これを該掛け回し軸４２に対して反転状態に掛け回わし、この掛け回された反転ペーパー部分１０”ｂを、この反転ペーパー部分１０”ｂに向き合うように前記ペーパーロール１０’から引き出されている向き合いペーパー部分１０”ｃと共に前記掛け回し軸４２を巡るように一巡り以上巡らし、この掛け巡らしペーパー部分１０”ｆと該掛け巡らしペーパー部分１０”ｆに向き合うように前記ペーパーロール１０’から引き出されて該掛け巡らしペーパー部分１０”ｆに向き合わされる向き合いペーパー部分１０”ｃとの重ね合わせ部分１０”ｄを、例えば、図１０に示されるように指Ｂ間に挟持して矢印Ｙ”の向きに移動し、この重ね合わせ部分１０”ｄと前記トイレットペーパーホルダーのペーパーロール１０’との間にあるペーパー部分１０”ｅを前記切断補助プレート３４の縁３４ｂに押しつけ、当該押し付けによって、この押し付けペーパー部分１０”ｅを当該縁３４ｂにおける弧状縁３４ｂ’のガイド部３４ｙでカッター部３４ｘに案内し、このカッター部３４ｘに纏められた当該ペーパー部分１０”ｅを当該纏められた状態で該カッター部３４ｘにおいて切断することによって、拭き去りに都合の良い重ね合わせ状態の切断ペーパーを容易かつ確実に得ることができる。
【００６６】
図１２〜図１４は、前記第３の実施の形態に係るトイレットペーパーの巻取り具Ａにおける他の典型的な切断補助プレート３４を示すものである。
【００６７】
図１２に示される切断補助プレート３４は、前記図９〜図１１で示される巻取り具Ａにおける切断補助プレート３４にあって、装填されるペーパーロール１０’の側にある縁３４ｂを構成する一対の弧状縁３４ｂ’、３４ｂ’の互いに接し合う位置を当該切断補助プレート３４における先端側、より具体的には、当該切断補助プレート３４における側端縁３４ｄの側に偏らせて当該縁３４ｂにおける各弧状縁３４ｂ’、３４ｂ’を形状の異なる一対の弧状縁３４ｂ’、３４ｂ’として構成した以外の構成を前記図９〜図１１に示されている切断補助プレート３４と同一又は実質的に同一の構成としてあり、同様にして用い得ると共に、ほぼ同様の効果を当該巻取り具Ａにもたらし得るものであって、同一又は実質的に同一の構成部分には同一の番号を付して、その説明を省略する。
【００６８】
かかる図１２に示される切断補助プレート３４における縁３４ｂは、突き出し板部３１ｂに連続される側端縁３４ｃ及び先端側にある側端縁３４ｄに連続する部分から縁３４ａの側に漸次近接するように、ペーパーロール１０’の側に向けて弧状に張り出す一対の夫々に張り出し寸法を異にする弧状部の弧状縁３４ｂ’、３４ｂ’を備えた構成としてあり、該弧状縁３４ｂ’、３４ｂ’における互いのＶ字状をなす連続部分をカッター部３４ｘとし、当該Ｖ字状をなす連続部分以外の弧状縁３４ｂ’部分をガイド部３４ｙとして構成してある。
この図示例にあっては、側端縁３４ｃに連続した比較的大きな突き出し寸法をなす弧状縁３４ｂ’と、当該切断補助プレート３４の先端側にあって、側端縁３４ｄに連続した比較的小さな突き出し寸法をなす弧状縁３４ｂ’とによって、当該切断補助プレート３４における比較的先端側にカッター部３４ｘを設け、ペーパーロール１０’から引き出される引き出しペーパー部分１０”を、より容易かつ確実に切断して、掛け回し軸４２から抜き出し用い得るようにしてある。
【００６９】
図１３に示される切断補助プレート３４は、前記図９〜図１１で示される巻取り具Ａにおける切断補助プレート３４にあって、装填されるペーパーロール１０’の側にある縁３４ｂを構成する一対の弧状縁３４ｂ’、３４ｂ’のほぼ中央部に、該各弧状縁３４ｂ’、３４ｂ’に連続した円弧状の凹部縁３４ｂ”を備えた構成としてあり、この凹部縁３４ｂ”に到る各弧状縁３４ｂ’、３４ｂ’を引き出しペーパー部分１０”のガイド部３４ｙとし、この各弧状縁３４ｂ’、３４ｂ’に連続して備えられている凹部縁３４ｂ”をカッター部３４ｘとして構成した以外の構成を前記図９〜図１１に示されている切断補助プレート３４と同一又は実質的に同一の構成としてあり、同様にして用い得ると共に、ほぼ同様の効果を当該巻取り具Ａにもたらし得るものであって、同一又は実質的に同一の構成部分には同一の番号を付して、その説明を省略する。
【００７０】
かかる図１３に示される切断補助プレート３４におけるペーパーロール１０’の側にある縁３４ｂは、突き出し板部３１ｂに連続される側端縁３４ｃ及び先端側にある側端部３４ｄの夫々に連続される部分で縁３４ａとの間の間隔を最大とし、該縁３４ｂの中央側に向けて当該縁３４ａに漸次近づくように構成されているほぼ同一形状をなす一対の弧状縁３４ｂ’、３４ｂ’と、この各弧状縁３４ｂ’、３４ｂ’の互いに連続される部分に備えられて縁３４ａの側に凹む円弧状凹部のなす凹部縁３４ｂ”とを備えた構成としてあり、この円弧状凹部の凹部縁３４ｂ”部分をカッター部３４ｘとし、当該凹部縁３４ｂ”に到る各弧状縁３４ｂ’部分をガイド部３４ｙとして構成してある。
かかる図１３に示される切断補助プレート３４にあっては、ペーパーロール１０’から引き出される引き出しペーパー部分１０”を当該切断補助プレート３４の縁３４ｂに押し付けた際に、この縁３４ｂに押し付けられたペーパー部分１０”ｅは、前記ガイド部３４ｙによって円弧状凹部内に案内され、この円弧状凹部における凹部縁３４ｂ”部分に備えられているカッター部３４ｘによって纏められた状態で容易かつ確実に切断される。
【００７１】
図１４に示される切断補助プレート３４は、前記図９〜図１１で示される巻取り具Ａにおける切断補助プレート３４にあって、装填されるペーパーロール１０’の側にある縁３４ｂを、一対の弧状縁３４ｂ’、３４ｂ’間に凹部縁３４ｂ”を備え、かつ、この凹部縁３４ｂ”を当該切断補助プレート３４における先端側、より具体的には、当該切断補助プレート３４における側端縁３４ｄの側に偏らせて備えた構成、すなわち、当該縁３４ｂを形状の異なる一対の弧状縁３４ｂ’、３４ｂ’と当該弧状縁３４ｂ’、３４ｂ’を連続させる凹部縁３４ｂ”として構成した以外の構成を前記図９〜図１１に示されている切断補助プレート３４と同一又は実質的に同一の構成としてあり、同様にして用い得ると共に、ほぼ同様の効果を当該巻取り具Ａにもたらし得るものであって、同一又は実質的に同一の構成部分には同一の番号を付して、その説明を省略する。
【００７２】
かかる図１４に示される切断補助プレート３４におけるペーパーロール１０’の側にある縁３４ｂは、突き出し板部３１ｂに連続される側端縁３４ｃに連続される部分から縁３４ａの側に漸次近づく比較的大きい弧状縁３４ｂ’と、先端側にある側端縁３４ｄに連続される部分から縁３４ａの側に漸次近づく比較的小さい弧状縁３４ｂ’と、この各弧状縁３４ｂ’、３４ｂ’の互いに連続される部分に備えられて縁３４ａの側に凹む円弧状凹部のなす凹部縁３４ｂ”とを備えた構成としてあり、この円弧状凹部の凹部縁３４ｂ”部分をカッター部３４ｘとし、当該凹部縁３４ｂ”に到る各弧状縁３４ｂ’部分をガイド部３４ｙとして構成してある。
かかる図１４に示される切断補助プレート３４にあっては、ペーパーロール１０’から引き出される引き出しペーパー部分１０”を当該切断補助プレート３４の縁３４ｂに押し付けた際に、この縁３４ｂに押し付けられたペーパー部分１０”ｅは、前記ガイド部３４ｙによって当該切断補助プレート３４の先端側にある円弧状凹部内に案内され、この円弧状凹部における凹部縁３４ｂ”部分に備えられているカッター部３４ｘによって纏められた状態で容易かつ確実に切断されて、容易に掛け回し軸４２から抜き出し用い得るようにしてある。
【００７３】
【発明の効果】
この発明に係るトイレットペーパーの巻取り具にあっては、片手操作のみのよって、用便などにおいて拭き去りなどに都合の良い重ね合わせの状態に、トイレットペーパーホルダーのペーパーロールからペーパーを引き出し切断して用いることができる利点を有しており、片手操作を余儀なくされている人や、余儀なく片手操作をせざるを得ない状態にある場合であっても、トイレットペーパーホルダーのペーパーロールからの引き出しペーパー部分を容易に必要な重ね合わせの状態に切断して用い得る利点を有している。
また、ペーパーロールから引き出された引き出しペーパー部分が切断補助部に対する押し付けによって切断されることから、このペーパーロールからの引き出しペーパー部分の先端部がトイレットペーパーホルダーにおける蓋内に隠れてしまうことがなく、片手操作によっても、トイレットペーパーのペーパーロールからの引き出し使用に際して容易に先端部を指先間に挟持できる利点を有している。
【００７４】
また、請求項２に記載の発明に係るトイレットペーパーの巻取り具にあっては、切断補助部と前記掛け回し軸部との間の間隔を調節することによって、片手操作のみで、容易にペーパーロールから引き出される引き出しペーパー部分を用便などに際して拭き去りに都合の良い長さの重ね合わせ状態として切断することができる利点を有している。
【００７５】
また、請求項３に記載の発明に係るトイレットペーパーの巻取り具にあっては、ペーパーロールから引き出されている引き出しペーパー部分の押しつけられる切断補助部の面を摩擦抵抗の大きい面とすることによって、ペーパーロールからのペーパーの引き出しや当該引き出しペーパー部分を重ね合わせ状態にして切断する際や、トイレットの清掃などに際して、当該切断補助部に接触しても被傷などの不具合を生じ難い片手操作に適したトイレットペーパーの巻取り具を提供できる利点を有している。
【図面の簡単な説明】
【図１】第１の実施の形態に係るトイレットペーパーの巻取り具の備え付け状態を一部を断面して示した側面図
【図２】同正面図
【図３】同巻取り具の斜視図
【図４】同備え付け巻取り具の使用状態を示す斜視図
【図５】同使用状態を一部を断面して示した側面図
【図６】同備え付け巻取り具の他の使用状態の一過程を一部を断面して示した側面図
【図７】同使用状態の他の過程を一部を断面して示した側面図
【図８】第２の実施の形態に係るトイレットペーパーの巻取り具の部品分離斜視図
【図９】第３の実施の形態に係るトイレットペーパーの巻取り具の使用状態を示す斜視図
【図１０】同使用状態を一部を断面して示した側面図
【図１１】同トイレットペーパーの巻取り具の典型的な切断補助プレートを示す平面図
【図１２】同トイレットペーパーの巻取り具の他の典型的な切断補助プレートを示す平面図
【図１３】同トイレットペーパーの巻取り具の更に他の典型的な切断補助プレートを示す平面図
【図１４】同トイレットペーパーの巻取り具の更に他の典型的な切断補助プレートを示す平面図
【符号の説明】
Ａ  巻取り具
Ａａ  掛け回し軸部
Ａｂ  切断補助部
１０  トイレットペーパー
１０’  ペーパーロール
１０”  引き出しペーパー部分
１０”ｂ  反転ペーパー部分
１０”ｃ  向き合いペーパー部分
１０”ｄ  重ね合わせ部分
１０”ｆ  掛け巡らしペーパー部分
【図１】
2004329309.tif 000003
【図２】
2004329309.tif 000004
【図３】
2004329309.tif 000005
【図４】
2004329309.tif 000006
【図５】
2004329309.tif 000007
【図６】
2004329309.tif 000008
【図７】
2004329309.tif 000009
【図８】
2004329309.tif 000010
【図９】
2004329309.tif 000011
【図１０】
2004329309.tif 000012
【図１１】
2004329309.tif 000013
【図１２】
2004329309.tif 000014
【図１３】
2004329309.tif 000015
【図１４】
2004329309.tif 000016